(57)【要約】【課題】同じデジタルペンで複数の媒体に筆記した場合に、どの媒体に筆記したかを意識することなくデジタルペンを頼りに、筆記した内容を取り出せるようにする。【解決手段】識別情報サーバ３０では、受信部３１が、デジタルペンを特定するペンＩＤを端末装置から受信すると共に、そのデジタルペンで筆記が行われた媒体の識別情報、その筆記を電子化した筆記情報、その筆記がなされた日時情報を文書サーバから受信する。そして、識別情報管理部３２が、識別情報記憶部３３において、媒体の識別情報とその媒体に印刷された電子文書の文書ＩＤとの対応が記憶されているかを判定する。表示情報生成部３４は、筆記情報を日時情報に従って配置した表示情報を生成し、識別情報と文書ＩＤとの対応が記憶されていれば、文書ＩＤを表示情報に埋め込む。そして、送信部３９が、表示情報を端末装置に送信する。【選択図】図４
2008181339.tif 000002
【特許請求の範囲】
【請求項１】
媒体への筆記及び当該筆記の内容の電子化のために用いられる特定の電子筆記具の指定を受け付ける受付手段と、
前記受付手段が受け付けた前記特定の電子筆記具の指定に基づいて、当該特定の電子筆記具によってなされた異なる複数の媒体への筆記の内容を電子化した筆記情報を取得する取得手段と
を備えたことを特徴とする筆記情報管理装置。
【請求項２】
前記取得手段により一元的に取得された複数の前記筆記情報を一覧可能な形式で表示するための表示情報を生成する生成手段を更に備えたことを特徴とする請求項１記載の筆記情報管理装置。
【請求項３】
前記生成手段は、複数の前記筆記情報と前記特定の電子筆記具によって筆記がなされた時間とに基づいて前記表示情報を生成することを特徴とする請求項２記載の筆記情報管理装置。
【請求項４】
前記生成手段は、複数の前記筆記情報を所定の範囲内に配置した前記表示情報を生成することを特徴とする請求項２記載の筆記情報管理装置。
【請求項５】
前記生成手段は、前記複数の媒体の各々に印刷された電子文書を取得するための情報が付加された前記表示情報を生成することを特徴とする請求項２記載の筆記情報管理装置。
【請求項６】
前記受付手段は、特定の筆記者の指定を受け付け、各筆記者が使用する電子筆記具を定義した情報に基づいて、当該特定の筆記者が使用する少なくとも１つの電子筆記具を特定し、当該少なくとも１つの電子筆記具の指定を、前記特定の電子筆記具の指定として受け付けることを特徴とする請求項１記載の筆記情報管理装置。
【請求項７】
コンピュータに、
媒体への筆記及び当該筆記の内容の電子化のために用いられる特定の電子筆記具の指定を受け付ける機能と、
前記特定の電子筆記具の指定に基づいて、当該特定の電子筆記具によってなされた異なる複数の媒体への筆記の内容を電子化した筆記情報を取得する機能と
を実現させるためのプログラム。
【請求項８】
一元的に取得された複数の前記筆記情報を一覧可能な形式で表示する機能を更に実現させる請求項７記載のプログラム。
【請求項９】
前記表示する機能では、複数の前記筆記情報を前記特定の電子筆記具によって筆記がなされた時間に基づいて表示することを特徴とする請求項８記載のプログラム。
【請求項１０】
前記表示する機能では、複数の前記筆記情報を所定の範囲内に配置して表示することを特徴とする請求項８記載のプログラム。
【請求項１１】
媒体上の各位置を示す位置情報が印刷された媒体上に筆記された筆記内容を電子化した筆記情報と、当該媒体への筆記に用いられる電子筆記具に固有に付与される筆記具識別情報と、当該媒体へ筆記がなされた時刻を示す筆記時刻情報とを関連付けて管理する管理手段を備えたことを特徴とする筆記情報管理装置。
【請求項１２】
前記管理手段は、前記媒体に印刷される電子文書に固有に付与される文書識別情報を更に関連付けて管理することを特徴とする請求項１１に記載の筆記情報管理装置。
【請求項１３】
前記管理手段は、前記媒体に固有に付与される媒体識別情報を更に関連付けて管理することを特徴とする請求項１１又は１２に記載の筆記情報管理装置。
【請求項１４】
媒体への筆記に用いられると、当該媒体に固有に付与される媒体識別情報と、当該筆記の内容を電子化した筆記情報と、当該筆記を行った日時を示す筆記日時情報と、自身に固有に付与される筆記具識別情報とを送信する送信手段を含む電子筆記具と、
前記電子筆記具に含まれる前記送信手段により送信された前記媒体識別情報と前記筆記情報と前記筆記日時情報と前記筆記具識別情報とを受信する受信手段と、当該受信手段により受信した当該筆記情報の送信先に関する情報を当該筆記具識別情報と関連付けて記憶する記憶手段と、当該受信手段により受信した当該媒体識別情報と当該筆記情報と当該筆記日時情報と当該筆記具識別情報とを送信する送信手段とを含む識別情報サーバと、
前記識別情報サーバに含まれる前記送信手段により送信された前記媒体識別情報と前記筆記情報と前記筆記日時情報と前記筆記具識別情報とを受信する受信手段と、当該受信手段により受信した当該媒体識別情報と当該筆記情報と当該筆記日時情報と当該筆記具識別情報とを関連付けて記憶する記憶手段とを含む文書サーバと
を備えたことを特徴とする筆記情報管理システム。
【発明の詳細な説明】
【技術分野】
【０００１】
本発明は、筆記情報管理装置、筆記情報管理システム、プログラムに関する。
【背景技術】
【０００２】
プリントアウト表面を手動で編集することにより、電子的に記憶された文書に変更を加える技術が知られている(例えば、特許文献１参照)。この特許文献１の技術では、まず、電子的に記憶された文書を、位置コーディングパターンを備えた表面に印刷する。次に、位置コーディングパターン読取り手段を備えたデジタルペンと表面にマーキングを付けるペンポイントとでプリントアウト表面を手動で編集する。すると、このマーキングがコンピュータに転送され、コンピュータ内で解釈され、この解釈に基づいて記憶済み文書に変更が加えられる。
【０００３】
【特許文献１】特表２００３−５２８３８８号公報
【発明の開示】
【発明が解決しようとする課題】
【０００４】
本発明の目的は、筆記に用いた電子筆記具に応じて筆記の内容を管理できる技術を提供することにある。
【課題を解決するための手段】
【０００５】
請求項１に記載の発明は、
媒体への筆記及び当該筆記の内容の電子化のために用いられる特定の電子筆記具の指定を受け付ける受付手段と、
前記受付手段が受け付けた前記特定の電子筆記具の指定に基づいて、当該特定の電子筆記具によってなされた異なる複数の媒体への筆記の内容を電子化した筆記情報を取得する取得手段と
を備えたことを特徴とする筆記情報管理装置である。
請求項２に記載の発明は、
前記取得手段により一元的に取得された複数の前記筆記情報を一覧可能な形式で表示するための表示情報を生成する生成手段を更に備えたことを特徴とする請求項１記載の筆記情報管理装置である。
請求項３に記載の発明は、
前記生成手段は、複数の前記筆記情報と前記特定の電子筆記具によって筆記がなされた時間とに基づいて前記表示情報を生成することを特徴とする請求項２記載の筆記情報管理装置である。
請求項４に記載の発明は、
前記生成手段は、複数の前記筆記情報を所定の範囲内に配置した前記表示情報を生成することを特徴とする請求項２記載の筆記情報管理装置である。
請求項５に記載の発明は、
前記生成手段は、前記複数の媒体の各々に印刷された電子文書を取得するための情報が付加された前記表示情報を生成することを特徴とする請求項２記載の筆記情報管理装置である。
請求項６に記載の発明は、
前記受付手段は、特定の筆記者の指定を受け付け、各筆記者が使用する電子筆記具を定義した情報に基づいて、当該特定の筆記者が使用する少なくとも１つの電子筆記具を特定し、当該少なくとも１つの電子筆記具の指定を、前記特定の電子筆記具の指定として受け付けることを特徴とする請求項１記載の筆記情報管理装置である。
請求項７に記載の発明は、
コンピュータに、
媒体への筆記及び当該筆記の内容の電子化のために用いられる特定の電子筆記具の指定を受け付ける機能と、
前記特定の電子筆記具の指定に基づいて、当該特定の電子筆記具によってなされた異なる複数の媒体への筆記の内容を電子化した筆記情報を取得する機能と
を実現させるためのプログラムである。
請求項８に記載の発明は、
一元的に取得された複数の前記筆記情報を一覧可能な形式で表示する機能を更に実現させる請求項７記載のプログラムである。
請求項９に記載の発明は、
前記表示する機能では、複数の前記筆記情報を前記特定の電子筆記具によって筆記がなされた時間に基づいて表示することを特徴とする請求項８記載のプログラムである。
請求項１０に記載の発明は、
前記表示する機能では、複数の前記筆記情報を所定の範囲内に配置して表示することを特徴とする請求項８記載のプログラムである。
請求項１１に記載の発明は、
媒体上の各位置を示す位置情報が印刷された媒体上に筆記された筆記内容を電子化した筆記情報と、当該媒体への筆記に用いられる電子筆記具に固有に付与される筆記具識別情報と、当該媒体へ筆記がなされた時刻を示す筆記時刻情報とを関連付けて管理する管理手段を備えたことを特徴とする筆記情報管理装置である。
請求項１２に記載の発明は、
前記管理手段は、前記媒体に印刷される電子文書に固有に付与される文書識別情報を更に関連付けて管理することを特徴とする請求項１１に記載の筆記情報管理装置である。
請求項１３に記載の発明は、
前記管理手段は、前記媒体に固有に付与される媒体識別情報を更に関連付けて管理することを特徴とする請求項１１又は１２に記載の筆記情報管理装置である。
請求項１４に記載の発明は、
媒体への筆記に用いられると、当該媒体に固有に付与される媒体識別情報と、当該筆記の内容を電子化した筆記情報と、当該筆記を行った日時を示す筆記日時情報と、自身に固有に付与される筆記具識別情報とを送信する送信手段を含む電子筆記具と、
前記電子筆記具に含まれる前記送信手段により送信された前記媒体識別情報と前記筆記情報と前記筆記日時情報と前記筆記具識別情報とを受信する受信手段と、当該受信手段により受信した当該筆記情報の送信先に関する情報を当該筆記具識別情報と関連付けて記憶する記憶手段と、当該受信手段により受信した当該媒体識別情報と当該筆記情報と当該筆記日時情報と当該筆記具識別情報とを送信する送信手段とを含む識別情報サーバと、
前記識別情報サーバに含まれる前記送信手段により送信された前記媒体識別情報と前記筆記情報と前記筆記日時情報と前記筆記具識別情報とを受信する受信手段と、当該受信手段により受信した当該媒体識別情報と当該筆記情報と当該筆記日時情報と当該筆記具識別情報とを関連付けて記憶する記憶手段とを含む文書サーバと
を備えたことを特徴とする筆記情報管理システムである。
【発明の効果】
【０００６】
請求項１の発明は、筆記に用いた電子筆記具に応じて筆記の内容を管理することができるという効果を有する。
請求項２の発明は、本構成を有していない場合に比較して、筆記の内容を一目で把握できるようになるという効果を有する。
請求項３の発明は、筆記の内容を時系列で把握できるようになるという効果を有する。
請求項４の発明は、本構成を有していない場合に比較して、筆記の内容を直感的に把握できるようになるという効果を有する。
請求項５の発明は、筆記の内容からその筆記がなされた媒体に印刷された電子文書を辿ることができるという効果を有する。
請求項６の発明は、筆記者ごとに筆記した内容を取り出すことができるという効果を有する。
請求項７の発明は、筆記に用いた電子筆記具に応じて筆記の内容を管理することができるという効果を有する。
請求項８の発明は、本構成を有していない場合に比較して、筆記の内容を一目で把握できるようになるという効果を有する。
請求項９の発明は、筆記の内容を時系列で把握できるようになるという効果を有する。
請求項１０の発明は、本構成を有していない場合に比較して、筆記の内容を直感的に把握できるようになるという効果を有する。
請求項１１の発明は、電子筆記具によって筆記された筆記内容とその筆記内容に関わる各種情報を関連づけて管理することができるという効果を有する。
請求項１２の発明は、電子筆記具によって筆記された筆記内容とその筆記内容に関わる各種情報を関連づけて管理することができるという効果を有する。
請求項１３の発明は、電子筆記具によって筆記された筆記内容とその筆記内容に関わる各種情報を関連づけて管理することができるという効果を有する。
請求項１４の発明は、電子筆記具によって筆記された筆記内容とその筆記内容に関わる各種情報を関連づけて管理することができるという効果を有する。
【発明を実施するための最良の形態】
【０００７】
以下、添付図面を参照して、本発明を実施するための最良の形態(以下、「実施の形態」という)について詳細に説明する。
まず、本実施の形態におけるコンピュータシステムの全体構成について説明する。
図１は、本実施の形態のコンピュータシステムの構成例を示したものである。
図示するように、このコンピュータシステムは、端末装置１０と、文書サーバ２０と、識別情報サーバ３０と、画像形成装置４０と、端末装置５０とがネットワーク８０に接続されることにより構成されている。また、端末装置５０には、デジタルペン６０が通信装置７０を介して接続されている。
【０００８】
端末装置１０は、文書サーバ２０に対して電子文書の印刷を要求するコンピュータ装置である。ここで、端末装置１０としては、例えば、パーソナルコンピュータやワークステーション、その他のコンピュータを用いるとよい。
文書サーバ２０は、電子文書を記憶し管理するコンピュータ装置である。また、端末装置１０から電子文書の印刷要求があると、電子文書の画像と、識別情報及び位置情報を表す符号画像とを生成し、これらを合成した合成画像を媒体に印刷する印刷命令を画像形成装置４０に対して出力する。この場合、識別情報とは、媒体を一意に特定するための情報であり、位置情報とは、媒体上の座標位置を特定するための情報である。ここで、文書サーバ２０としては、例えば、パーソナルコンピュータやワークステーション、その他のコンピュータを用いるとよい。
【０００９】
識別情報サーバ３０は、媒体に付与する識別情報を発行するコンピュータ装置である。そして、発行した識別情報を、その識別情報が付与される媒体に印刷される電子文書と関連付けて記憶する。ここで、識別情報サーバ３０としては、例えば、パーソナルコンピュータやワークステーション、その他のコンピュータを用いるとよい。
画像形成装置４０は、媒体に画像を印刷し、印刷文書として出力する装置である。この画像形成装置４０は、単体のプリンタや印刷機であってもよいし、他にスキャナや通信の機能を備えた所謂複合機であってもよい。ここで、画像形成装置４０における画像形成方式としては、例えば、電子写真方式を用いるとよいが、その他の方式を用いてもよい。
【００１０】
端末装置５０は、印刷文書に対する筆記を電子化した情報(以下、「筆跡情報」という)を、印刷文書に記録された画像の元となる電子文書に反映させるために識別情報サーバ３０に送信するコンピュータ装置である。また、筆跡情報を反映する対象の電子文書を図示しないディスプレイに表示し、その上に筆跡情報を重ねて表示するようにしてもよい。ここで、端末装置５０としては、例えば、パーソナルコンピュータやワークステーション、その他のコンピュータを用いるとよい。尚、本実施の形態では、筆記の内容を電子化した筆記情報の一例として、筆跡情報を用いている。また、筆跡情報を主に手書き情報として説明するが、これに限らず、例えば、建築や機械等の図面データを出力する装置であるプロッタ等によって機械的に描画された情報であってもよい。
【００１１】
デジタルペン６０は、電子筆記具の一例であり、印刷文書上に文字又は図形を筆記するために用いられるペンデバイスである。また、媒体に印刷された符号画像を読み取る撮像素子を備える。そして、撮像素子で読み取った符号画像から位置情報を検出し、筆記した文字又は図形をイメージデータ化した筆跡情報をこの位置情報に基づいて生成し記憶する。
通信装置７０は、デジタルペン６０から筆跡情報を取得して端末装置５０に送信する装置である。例えば、デジタルペン６０を差し込む差込口を設け、この差込口にデジタルペン６０が差し込まれると、デジタルペン６０に記憶された筆跡情報を端末装置５０に送信するようにするとよい。ここで、端末装置５０との間の通信の方式としては、ＵＳＢ(Universal Serial Bus)、Ｂｌｕｅｔｏｏｔｈ(登録商標)、赤外線通信機能等、種々の方式が考えられる。また、図では、通信装置７０をデジタルペン６０と別体のものとして示しているが、必ずしも別体である必要はなく、一体に構成してもよい。
【００１２】
尚、本明細書では、媒体に記録する画像の元となる電子データを「電子文書」と表記するが、これは、テキストを含む「文書」を電子化したデータのみを意味するものではない。例えば、絵、写真、図形等の画像データ(ラスタデータかベクターデータかによらない)、データベース管理ソフトウェアや表計算ソフトウェアで記録されるデータ、その他の印刷可能な電子データも含めて「電子文書」としている。
また、本明細書において、「媒体」は、画像を印刷可能な媒体であれば、その材質は問わない。代表例は紙であるが、ＯＨＰシートや金属板等であっても構わない。
更に、本明細書では、電子文書、媒体、更にはデジタルペン６０やユーザについて、それぞれを一意に識別するための識別情報を用いて処理を行うが、単に「識別情報」というときは、このうち、媒体の識別情報を意味するものとする。即ち、本実施の形態では、媒体に固有に付与される媒体識別情報の一例として、この識別情報を用いる。また、この識別情報の一例として、本実施の形態では、媒体へのプリントを行う画像形成装置４０の機械番号と画像形成装置４０におけるプリントカウントの値とを結合したものを用いる。
【００１３】
図２に、このような筆跡情報の表示の概略動作について示す。
図では、まず、左側に印刷文書４０１〜４０３を示している。印刷文書４０１〜４０３は、電子文書の文書画像と、識別情報及び位置情報を表す符号画像とが印刷されたものであってもよいし、白紙に識別情報及び位置情報を表す符号画像のみが印刷されたものであってもよい。
この状態で、同じデジタルペン６０を用いて印刷文書４０１〜４０３に筆記したとする。すると、図の右側に示すように、同じデジタルペン６０による手書き情報(筆跡情報)が例えば時系列に表示されるようになる。尚、このときの表示内容については、後で詳細に説明する。
【００１４】
以下、このような概略動作を行う本実施の形態について、具体的に説明する。
本実施の形態では、文書サーバ２０が筆跡情報を管理し、筆跡情報の表示が指示されると、識別情報サーバ３０が筆跡情報を表示するための表示情報を生成する。
このように、本実施の形態では、文書サーバ２０及び識別情報サーバ３０が中心となって動作するので、これらのサーバの構成及び動作について詳細に説明する。
まず、文書サーバ２０の構成について説明する。
図３は、文書サーバ２０の機能構成例を示したブロック図である。
図示するように、文書サーバ２０は、受信部２１と、識別情報取得部２２と、筆跡情報管理部２３と、筆跡管理情報記憶部２４とを備える。また、識別符号生成部２５ａと、位置符号生成部２５ｂと、符号配置部２５ｃと、パターン画像記憶部２５ｄと、符号画像生成部２５ｅとを備える。更に、文書画像生成部２６と、画像合成部２７と、送信部２９とを備える。
【００１５】
受信部２１は、端末装置１０から印刷要求を受信する。ここで、印刷要求には、印刷対象となる電子文書の識別情報(以下、「文書ＩＤ」という)と、印刷に関する各種設定(以下、「印刷設定」という)とが含まれる。また、受信部２１は、識別情報サーバ３０から識別情報を受信する。更に、印刷文書に対する筆記がなされた際には、識別情報サーバ３０から、印刷文書に埋め込まれた識別情報と、印刷文書に対する筆記の内容を電子化した筆跡情報と、印刷文書に対する筆記に用いたデジタルペン６０の識別情報(以下、「ペンＩＤ」という)と、印刷文書に対する筆記がなされた日時の情報(以下、「日時情報」という)とを受信する。ここで、本実施の形態では、電子筆記具に固有に付与される筆記具識別情報の一例として、ペンＩＤを用いている。また、媒体識別情報と筆記情報と筆記日時情報と筆記具識別情報とを受信する受信手段の一例として、受信部２１を設けている。
識別情報取得部２２は、受信部２１から文書ＩＤ及び印刷設定を取得し、これを送信部２９に渡して識別情報の発行要求の送信を指示し、これを文書画像生成部２６に渡して文書画像の生成を指示する。また、受信部２１から識別情報を取得し、これを識別符号生成部２５ａに渡して識別符号の生成を指示する。
【００１６】
筆跡情報管理部２３は、受信部２１が受信した識別情報、筆跡情報、ペンＩＤ、日時情報を取得し、筆跡管理情報記憶部２４に登録する。また、筆跡情報の表示が指示された際には、指定されたペンＩＤに対応する識別情報、筆跡情報、日時情報を、筆跡管理情報記憶部２４から取り出す。
筆跡管理情報記憶部２４は、筆跡情報管理部２３によって管理される筆跡管理情報を記憶する。ここで、本実施の形態では、筆記情報と筆記具識別情報と筆記時刻情報とを関連付けて管理する管理手段、更に文書識別情報を関連付けて管理する管理手段、また更に媒体識別情報を関連付けて管理する管理手段の一例として、また、媒体識別情報と筆記情報と筆記日時情報と筆記具識別情報とを関連付けて記憶する記憶手段の一例として、筆跡管理情報記憶部２４を設けている。
【００１７】
識別符号生成部２５ａは、媒体を特定する識別情報を符号化して識別符号を生成する。
位置符号生成部２５ｂは、媒体上の座標位置を示す位置情報を符号化して位置符号を生成する。
符号配置部２５ｃは、識別符号生成部２５ａにて生成された識別符号や、位置符号生成部２５ｂにて生成された位置符号等を所定のレイアウトに従って２次元平面に配置し２次元の符号配列を生成する。
パターン画像記憶部２５ｄは、符号配列に格納される各符号の符号値に対応するパターン画像を記憶する。
符号画像生成部２５ｅは、符号配置部２５ｃが生成した２次元の符号配列を参照し、各符号値に対応したパターン画像を選択して符号画像を生成する。
【００１８】
文書画像生成部２６は、識別情報取得部２２から文書ＩＤ及び印刷設定を取得し、この文書ＩＤで特定される電子文書を図示しない記憶手段から読み出し、印刷設定に従ってその電子文書の文書画像を生成する。
画像合成部２７は、符号画像生成部２５ｅが生成した符号画像と、文書画像生成部２６が生成した文書画像とを合成し、合成画像を生成する。
送信部２９は、識別情報サーバ３０に対して識別情報の発行要求を送信する。また、画像形成装置４０に対して媒体に対する画像の印刷命令を送信する。更に、筆跡情報の表示が指示された際には、識別情報サーバ３０に対して、識別情報、筆跡情報、日時情報を送信する。
【００１９】
次に、識別情報サーバ３０の構成について説明する。
図４は、識別情報サーバ３０の機能構成例を示したブロック図である。
図示するように、識別情報サーバ３０は、受信部３１と、識別情報管理部３２と、識別情報記憶部３３と、表示情報生成部３４と、送信部３９とを備える。
【００２０】
受信部３１は、文書サーバ２０から識別情報の発行要求を受信する。また、受信部３１は、印刷文書に対する筆記がなされた際には、識別情報、筆跡情報、ペンＩＤ、日時情報を端末装置５０から受信する。ここで、本実施の形態では、媒体識別情報と筆記情報と筆記日時情報と筆記具識別情報とを受信する受信手段の一例として、受信部３１を設けている。更に、筆跡情報の表示が指示された際に、端末装置５０からは、表示する筆跡情報を抽出する際のキーとなるペンＩＤを受信する。このペンＩＤの一例として、本実施の形態では、デジタルペン６０のシリアル番号を用いる。ここで、本実施の形態では、特定のデジタルペンの指定の一例として、ペンＩＤを用いている。また、受信部３１のこの動作を行う部分を、本実施の形態では、特定のデジタルペンの指定を受け付ける受付手段の一例として設けている。一方で、筆跡情報の表示が指示された際に、文書サーバ２０からは、識別情報、筆跡情報、日時情報を受信する。即ち、受信部３１は筆跡情報を受信するが、受信部３１のこの動作を行う部分を、本実施の形態では、特定のデジタルペンによってなされた異なる複数の媒体への筆記情報を取得する取得手段の一例として設けている。
【００２１】
識別情報管理部３２は、識別情報の発行要求があると、識別情報を重複することなく発行し、その際に指定された文書ＩＤ及び印刷設定を識別情報に関連付けて記憶する。また、識別情報の指定を受けて、その識別情報に対応する文書ＩＤ及び印刷設定を取り出す。
識別情報記憶部３３は、識別情報を、その使用/未使用の状態、それが付与された媒体に印刷された電子文書の文書ＩＤ、それが付与された媒体に電子文書が印刷された際の印刷設定を関連付けて記憶するデータベースである。
表示情報生成部３４は、筆跡情報の表示が指示された際に、文書サーバ２０から取得した情報に基づいて、筆跡情報を表示するための表示情報を生成する。この表示情報としては、例えば、端末装置５０で表示するイメージを生成する元となるデータを生成する。また、本実施の形態では、筆記情報を一覧可能な形式で表示するための表示情報を生成する生成手段の一例として、表示情報生成部３４を設けている。
【００２２】
送信部３９は、文書サーバ２０からの要求に応じて発行した識別情報を文書サーバ２０に送信する。また、印刷文書に対する筆記がなされた際には、識別情報、筆跡情報、ペンＩＤ、日時情報を文書サーバ２０に送信する。更に、筆跡情報の表示が指示された際には、文書サーバ２０に対してペンＩＤを送信し、端末装置５０に対して表示情報を送信する。ここで、本実施の形態では、媒体識別情報と筆記情報と筆記日時情報と筆記具識別情報とを送信する送信手段の一例として、送信部３９を設けている。
【００２３】
次いで、本実施の形態の動作について説明する。
本実施の形態における動作は、大きく、印刷文書の出力と、印刷文書への筆記と、筆跡情報の表示とに分けられるので、以下ではこれらを分けて説明する。
【００２４】
Ａ．印刷文書の出力
図５は、このときの文書サーバ２０及び識別情報サーバ３０の動作を示したシーケンス図である。
文書サーバ２０では、まず、受信部２１が、電子文書の印刷要求を端末装置１０から受信する(ステップ２１１)。このうち、電子文書の印刷要求には、文書ＩＤと印刷設定とが含まれる。ここで、文書ＩＤとしては、例えば、ＵＲＬ(Uniform Resource Locator)を用いるとよいが、電子文書を一意に特定することができるものであれば他の情報を用いてもよい。また、印刷設定は、ページ、部数、用紙サイズ、Ｎアップ(電子文書のＮページを媒体の１ページに割り付ける印刷)、余白等の設定を含む。
受信部２１は、これらの情報を受信すると、識別情報取得部２２に受け渡す。すると、識別情報取得部２２は、受け渡された情報のうち、文書ＩＤと印刷設定とを送信部２９に渡し、送信部２９が、これらの情報を識別情報サーバ３０に送信することで、識別情報の発行を要求する(ステップ２１２)。
【００２５】
これにより、識別情報サーバ３０では、受信部３１が、文書ＩＤと印刷設定とを受信する(ステップ３１１)。そして、文書ＩＤと印刷設定は識別情報管理部３２に渡され、識別情報管理部３２が、識別情報記憶部３３から未使用の識別情報を取り出す(ステップ３１２)。ここで、取り出す識別情報の数は、印刷設定に応じて決められる。つまり、基本的には、印刷するページ数に印刷部数を乗じて得られる数の識別情報が取り出される。但し、設定情報中に、Ｎアップの指定等がある場合は、それも考慮される。例えば、１０ページの電子文書を２アップで５部印刷する場合は、２５(＝１０÷２×５)個の識別情報が取り出される。
次に、識別情報管理部３２は、識別情報と文書ＩＤと印刷設定とを関連付けて識別情報記憶部３３に記憶する(ステップ３１３)。そして、ステップ３１２で発行された識別情報は送信部３９に渡され、送信部３９が、文書サーバ２０に対し、識別情報を送信する(ステップ３１４)。
【００２６】
これにより、文書サーバ２０では、受信部２１が識別情報を受信する(ステップ２１３)。そして、受信部２１は、受信した識別情報を識別情報取得部２２に受け渡す。
すると、文書サーバ２０は、識別情報と位置情報とを表す符号画像を生成する(ステップ２１４)。この符号画像の生成は、具体的には、次のような処理により行われる。
即ち、まず、識別情報取得部２２が、ステップ２１３で取得した識別情報を識別符号生成部２５ａに渡し、識別符号生成部２５ａが、識別情報を符号化することで識別符号を生成する。尚、識別情報の符号化の詳細については後述する。
また、位置符号生成部２５ｂは、受信部２１から印刷設定を受け取り、印刷設定に応じた範囲の位置情報を符号化することで位置符号を生成する。尚、位置情報の符号化の詳細についても後述する。
その後、符号配置部２５ｃが、識別符号と位置符号とを所定のレイアウトに従って配置し、これを符号画像生成部２５ｅが、パターン画像記憶部２５ｄに記憶されたパターン画像を用いて画像化することで符号画像を生成する。
【００２７】
また、文書サーバ２０では、文書画像生成部２６が、電子文書の文書画像を生成する(ステップ２１５)。その際、文書画像生成部２６は、ステップ２１１で識別情報取得部２２が取得した文書ＩＤを受け取り、これに基づいて対象となる電子文書を図示しない記憶手段から読み出す。また、ステップ２１１で識別情報取得部２２が取得した印刷設定を受け取り、これに基づいて文書画像を生成する。
そして、画像合成部２７は、ステップ２１４で生成された符号画像と、ステップ２１５で生成された文書画像とを合成し、合成画像を生成する(ステップ２１６)。
その後、合成画像は送信部２９に渡され、送信部２９が、合成画像の印刷命令を画像形成装置４０に送信する(ステップ２１７)。ここで、合成画像の印刷命令は、例えば、文書画像の印刷命令の列からなるＰＤＬ(Page Description Language)ファイルに対し、符号画像として印刷する内容をＰＤＬコマンドとして設定したＰＤＬの形式で送信される。
【００２８】
これにより、画像形成装置４０は、文書画像を例えばＣ(シアン)、Ｍ(マゼンタ)、Ｙ(イエロー)のトナーを用いて媒体に印刷する。また、符号画像を例えばＫ(カーボンを含む黒)のトナー又は特殊トナーを用いて媒体に印刷する。
ここで、特殊トナーとしては、可視光領域(４００ｎｍ〜７００ｎｍ)における最大吸収率が７％以下であり、近赤外領域(８００ｎｍ〜１０００ｎｍ)における吸収率が３０％以上の不可視トナーが例示される。ここで、「可視」及び「不可視」は、目視により認識できるかどうかとは関係しない。印刷文書における画像が可視光領域における特定の波長の吸収に起因する発色性の有無により認識できるかどうかで「可視」と「不可視」とを区別している。また、可視光領域における特定の波長の吸収に起因する発色性が若干あるが人間の目で認識し難いものも、「不可視」に含める。
【００２９】
尚、ここでは、電子文書の画像に符号画像を合成して印刷することとしたが、白紙(ノートや付箋等)に符号画像を印刷する構成としてもよい。その場合は、ステップ２１１で受信する印刷要求に文書ＩＤを含めないようにし、ステップ３１３で識別情報と文書ＩＤ及び印刷設定との関連付けを行わないようにし、ステップ２１５における文書画像の生成は実行しないようにすればよい。
【００３０】
次に、本実施の形態で生成される符号画像について説明する。
図６は、符号画像を構成する画像等の一例を示した図である。
まず、符号画像を構成する単位パターンについて説明する。
図６(ａ)は、単位パターンの一例を示したものである。
単位パターンとは、情報埋め込みの最小単位である。図では、黒塗りの領域と斜線の領域をドット配置可能な領域とし、その間にある白色の領域をドット配置不可能な領域としている。そして、ドット配置可能な領域のうち、黒塗りの領域にドットが配置され、斜線の領域にはドットが配置されていないことを示している。即ち、図は、ドットを配置可能な９箇所の中から選択した２箇所にドットを配置することで単位パターンを構成した例を示したものである。ここで、９箇所の中から２箇所を選択する組み合わせは３６(＝９Ｃ２)通りなので、単位パターンは、３６種類存在する。このうち、４種類の単位パターンは、同期パターンとして使用される。同期パターンとは、画像の回転を検出したり、識別符号及び位置符号の相対的な位置を特定したりするためのパターンである。特に、画像の回転を検出する必要があることから、４種類の同期パターンとしては、そのうちの１つの同期パターンを９０度回転するとそのうちの別の同期パターンになるようなものが選ばれる。また、この４種類の単位パターンを除く３２種類の単位パターンは、識別符号及び位置符号を表現する情報パターンとして使用され、５ビットの情報が表現される。
【００３１】
ところで、図６(ａ)に示したドットは、あくまで情報表現のためのドットであり、画像を構成する最小の点を意味するドットとは必ずしも一致しない。本実施の形態において、情報表現のためのドット(図６(ａ)の最小の四角)は、６００ｄｐｉにおける２ドット×２ドットの大きさを有している。６００ｄｐｉにおける１ドットの大きさは０．０４２３ｍｍなので、情報表現のためのドット(図６(ａ)の最小の四角)の一辺は、８４．６μｍ(＝０．０４２３ｍｍ×２)である。情報表現のためのドットは、大きくなればなるほど目に付きやすくなるため、できるだけ小さいほうが好ましい。ところが、あまり小さくすると、プリンタで印刷できなくなってしまう。そこで、情報表現のためのドットの大きさとして、５０μｍより大きく１００μｍより小さい上記の値を採用している。但し、上記の値８４．６μｍは、あくまで計算上の数値であり、実際に印刷されたトナー像では１００μｍ程度になる。尚、本明細書で「ドット」というときは、特に明示しない限り、画像を構成する最小の点を意味するドットではなく、情報表現のためのドットを指すものとする。
【００３２】
次に、このような単位パターンから構成される符号ブロックについて説明する。
図６(ｂ)に、符号ブロックのレイアウトの一例を示す。尚、ここでは、画像ではなく、パターン画像によって置き換えられる直前の符号配列で示している。即ち、図６(ｂ)の最小の四角(以下、「単位ブロック」という)に、図６(ａ)のような単位パターン(３６通りの単位パターンのいずれか)が配置され、その画像が媒体に形成されることになる。
図６(ｂ)のレイアウトでは、符号ブロックの左上の１つの単位ブロックに、同期符号が配置されている。また、同期符号が配置された単位ブロックの右側の４つの単位ブロックにＸ位置符号が配置され、同期符号が配置された単位ブロックの下側の４つの単位ブロックにＹ位置符号が配置されている。更に、これらの位置符号が配置された単位ブロックに囲まれた１６(＝４×４)個の単位ブロックに識別符号が配置されている。
【００３３】
ここで、識別情報の符号化について述べる。
識別情報を符号化する場合、識別情報を構成するビット列は、ＲＳ符号化を行うために複数のブロックに分割される。符号化には、いくつかの方法があるが、本実施の形態では、ＲＳ符号化が適している。ＲＳ符号は多値の符号法であり、この場合、単位ブロックで表現される値がＲＳ符号の多値に対応するからである。例えば、１つの単位ブロックで５ビットの情報を表現する場合、６０ビットの識別情報は、ブロック長が５ビットの１２個のブロックに分割される。そして、２ブロックの誤りを訂正可能なＲＳ符号を採用したとすると、符号長は１６ブロックとなり、図６(ｂ)の符号ブロックにおける識別符号が配置される単位ブロックに収まることになる。尚、符号化方式はＲＳ符号に限定するものでなく、その他の符号化方式、例えば、ＢＣＨ符号等を使用してもよい。
【００３４】
次に、位置情報の符号化について述べる。
位置情報の符号化には、擬似乱数系列の一種であるＭ系列符号が使用される。ここで、Ｍ系列とは、ある長さのシフトレジスタとフィードバックによって生成される符号系列のうち、その周期が最長になる系列をいう。Ｋをシフトレジスタの段数とすると、Ｍ系列の系列長は２Ｋ−１となる。このＭ系列から取り出した任意の連続したＫビットは、同じＭ系列中の他の位置に現れない性質を持つ。そこで、この性質を利用して位置情報を符号化する。
ところで、本実施の形態では、符号化すべき位置情報の長さから、必要なＭ系列の次数を求め、Ｍ系列を生成している。しかしながら、符号化する位置情報の長さが予め分かっている場合は、Ｍ系列を毎回生成する必要はない。即ち、固定のＭ系列を予め生成しておき、それをメモリ等に格納しておけばよい。
例えば、系列長８１９１のＭ系列(Ｋ＝１３)を使用したとする。この場合、位置符号も５ビット単位で埋め込むため、系列長８１９１のＭ系列から５ビットずつ取り出してブロック化する。
【００３５】
尚、本明細書では、説明を簡単にするために、識別情報と位置情報とは明確に区別して用いている。しかしながら、広範な位置情報を用意しておき、媒体ごとに異なる範囲から位置情報を切り出して埋め込み、位置情報の違いによって媒体を識別するという手法もある。そこで、このような手法においては、媒体を識別する機能が位置情報に備わっているものと見て、位置情報を識別情報としても考えるものとする。
【００３６】
Ｂ．印刷文書への筆記
本実施の形態では、印刷文書に対する筆跡情報がデジタルペン６０から通信装置７０を介して端末装置５０に伝えられ、文書サーバ２０へ登録される。
そこで、まず、デジタルペン６０の機構について説明する。
図７は、デジタルペン６０の構成例を示した図である。
図示するように、デジタルペン６０は、ペン全体の動作を制御する制御回路６１を備える。また、制御回路６１は、読み取った符号画像を処理する画像処理部６１ａと、そこでの処理結果から識別情報及び位置情報を抽出するデータ処理部６１ｂとを含む。
また、制御回路６１には、デジタルペン６０による筆記動作をペンチップ６９に加わる圧力によって検出する圧力センサ６２が接続されている。更に、媒体上に赤外光を照射する赤外ＬＥＤ６３と、反射光を検知することによって符号画像を読み取る赤外ＣＭＯＳ６４も接続されている。更にまた、識別情報及び位置情報を記憶するための情報メモリ６５と、外部装置と通信するための通信回路６６と、ペンを駆動するためのバッテリ６７と、ペンの識別情報(ペンＩＤ)を記憶するペンＩＤメモリ６８も接続されている。
【００３７】
次に、このうち制御回路６１において実現される機能構成について更に詳細に説明する。
図８は、制御回路６１の機能構成例を示したブロック図である。尚、図では、制御回路６１内の画像処理部６１ａとデータ処理部６１ｂとに分けて、機能構成例を示している。
図示するように、画像処理部６１ａは、画像取得部６１１と、ドット配列生成部６１２とを備える。また、データ処理部６１ｂは、符号配列生成部６１３と、識別情報取得部６１４と、位置情報取得部６１５と、筆跡情報生成部６１６とを備える。そして、更に、ペンＩＤ取得部６１７と、日時情報取得部６１８と、送信部６１９とを備える。
【００３８】
画像取得部６１１は、赤外ＣＭＯＳ６４が印刷文書から読み取った符号画像を取得する。また、必要に応じて、符号画像に含まれるノイズを除去する。
ドット配列生成部６１２は、符号画像におけるドットの位置を参照して、ドット配列を生成する。即ち、２次元の配列上で、例えば、ドットがある位置に「１」を、ドットがない位置に「０」を記憶することにより、画像として検出したドットをデジタルデータに置き換える。そして、この２次元の配列をドット配列として出力する。
【００３９】
符号配列生成部６１３は、ドット配列上で、符号ブロック内の単位パターンに対応するブロックを検出する。具体的には、単位パターンが配置されるブロックと同じ形状及び大きさの枠をドット配列上で動かし、枠内のドット数が均等になる位置で枠を固定する。例えば、図６(ａ)の単位パターンを用いる場合であれば、３ドット×３ドットに対応する大きさの枠を動かし、枠内に含まれるドット数が２となる位置で枠を固定する。そして、その枠で区切られた各ブロック内のドット位置から定まる符号値を格納した符号配列を生成する。また、この符号配列が生成されると、予め定められた同期符号の符号値を検索することによって、同期符号の位置が特定される。
【００４０】
識別情報取得部６１４は、符号配列から同期符号の位置を基準にして識別符号を検出する。そして、画像生成時にＲＳ符号化処理で用いたパラメータを用いて識別符号を復号し、識別情報を取得する。
位置情報取得部６１５は、符号配列から同期符号の位置を基準にして位置符号を検出する。そして、位置符号からＭ系列の部分系列を取り出し、画像生成時に使用したＭ系列におけるこの部分系列の位置を参照し、この位置を同期符号によるオフセットで補正した値を位置情報として取得する。尚、オフセットで補正するのは、位置符号の間に同期符号が配置されているためである。
【００４１】
筆跡情報生成部６１６は、位置情報取得部６１５が取得した位置情報を連結して筆跡情報を生成する。ここで、筆跡情報には、少なくともデジタルペン６０のペン先の軌跡を電子化したデータが含まれるが、これ以外の情報を含んでもよい。ペン先の軌跡以外の情報としては、例えば、筆記した時にペンに設定されていた色の情報や、筆圧の情報等がある。
ペンＩＤ取得部６１７は、デジタルペン６０の識別情報であるペンＩＤをペンＩＤメモリ６８(図７参照)から取得する。
【００４２】
日時情報取得部６１８は、筆記がなされた日時を特定する日時情報を、例えば、現在時刻を保持する計時手段(図示せず)から取得する。この日時情報の一例として、本実施の形態では、ＹＹＹＹＭＭＤＤＨＨＭＭＳＳという形式の情報を取得する。例えば、２００７年１月１日０時１１分２２秒に筆記がなされたとすると、『２００７０１０１００１１２２』を日時情報として取得する。また、本実施の形態において、日時情報は、位置情報を取得する度に同時に取得する。ここで、本実施の形態では、媒体へ筆記がなされた時刻を示す筆記時刻情報の一例として、更には、筆記を行った日時を示す筆記日時情報の一例として、日時情報を用いている。
送信部６１９は、識別情報取得部６１４が取得した識別情報と、筆跡情報生成部６１６が生成した筆跡情報と、ペンＩＤ取得部６１７が取得したペンＩＤと、日時情報取得部６１８が取得した日時情報とを通信回路６６に受け渡すことで、通信装置７０への情報送信を実現する。ここで、本実施の形態では、媒体識別情報と筆記情報と筆記日時情報と筆記具識別情報とを送信する送信手段の一例として、送信部６１９を設けている。
【００４３】
次に、デジタルペン６０が筆跡情報を生成して文書サーバ２０に登録する際の動作について説明する。
デジタルペン６０では、まず、赤外ＬＥＤ６３が媒体に対して赤外光を照射し、赤外ＣＭＯＳ６４がその反射光を受光することにより、符号画像を読み取る。そして、画像取得部６１１がこの読み取った符号画像を取得する。そして、符号画像にノイズが含まれていれば、これを除去する。次に、ドット配列生成部６１２が、符号画像に含まれるドット位置をデジタルデータ化し、ドット配列を生成する。そして、符号配列生成部６１３が、ドット配列からブロックを検出し、ブロックごとの符号値を格納した符号配列を生成する。そして、符号配列において、同期符号の位置を特定する。その後、識別情報取得部６１４が、同期符号の位置に基づいて識別符号を検出し、これを復号して識別情報を取得する。また、位置情報取得部６１５が、同期符号の位置に基づいて位置符号を検出し、これを復号して位置情報を取得する。そして、筆跡情報生成部６１６が、位置情報を連結して筆跡情報を生成する。更に、本実施の形態では、ペンＩＤ取得部６１７が、ペンＩＤメモリ６８(図７参照)からペンＩＤを取得し、日時情報取得部６１８が、計時手段(図示せず)から日時情報を取得する。そして、送信部６１９が、これらの情報を通信装置７０及び端末装置５０を介して識別情報サーバ３０へ送信する。
【００４４】
図９は、その後の識別情報サーバ３０及び文書サーバ２０の動作を示したシーケンス図である。
識別情報サーバ３０では、まず、受信部３１が、識別情報、筆跡情報、ペンＩＤ、日時情報を受信する(ステップ３２１)。次に、これらの情報は識別情報管理部３２に渡され、識別情報管理部３２は、渡された識別情報に関連付けられた文書ＩＤを識別情報記憶部３３から取り出す。そして、ステップ３２１で受信した情報の送信先となる文書サーバ２０(文書ＩＤで特定される電子文書が存在する文書サーバ２０)を決定し、ペンＩＤとこの文書サーバ２０のアドレス情報との対応をキャッシュしておく(ステップ３２２)。尚、識別情報記憶部３３において識別情報に文書ＩＤが関連付けられていなければ、その識別情報は白紙(ノートや付箋)に割り当てられたものであると考えられる。その場合は、白紙に対する筆跡情報を管理する文書サーバ２０を送信先として決定すればよい。ここで、本実施の形態では、筆記情報の送信先に関する情報を筆記具識別情報と関連付けて記憶する記憶手段の一例として、このキャッシュで利用する記憶領域を用いている。
その後、情報は送信部３９に渡され、送信部３９が、ステップ３２２で送信先として決定した文書サーバ２０に対し、識別情報、筆跡情報、ペンＩＤ、日時情報を送信する(ステップ３２３)。
【００４５】
これにより、文書サーバ２０では、受信部２１が、識別情報、筆跡情報、ペンＩＤ、日時情報を受信する(ステップ２２１)。そして、受信部２１は、受信した情報を筆跡情報管理部２３に受け渡す。
すると、筆跡情報管理部２３は、識別情報と筆跡情報とペンＩＤと日時情報とを対応付けて、筆跡管理情報として筆跡管理情報記憶部２４に記憶する(ステップ２２２)。
【００４６】
ここで、筆跡管理情報の具体的な内容について説明する。
図１０は、筆跡管理情報の具体例を示した図である。
図示するように、筆跡管理情報は、識別情報と、筆跡情報と、ペンＩＤと、日時情報とを対応付けたものとなっている。
このうち、識別情報は、既に述べた通り、媒体を一意に識別するための情報である。
また、筆跡情報は、既に述べた通り、媒体に対する筆記内容を電子化した情報である。但し、筆跡情報はイメージデータであるため、そのまま対応付けるのではなく、筆跡情報の格納場所を対応付けるようにしている。図では、筆跡情報の格納場所として、一連番号を示している。このように筆跡情報の格納場所として一連番号を採用した場合は、この一連番号をキーとして、別途記憶されている一連番号と筆跡情報の格納場所との対応情報を参照することにより、筆跡情報の格納場所を得る。或いは、筆跡情報の格納場所の情報(ＵＲＬ等)をそのまま対応付けるようにしてもよい。
一方、ペンＩＤは、その筆記がなされる際に用いたペンの識別情報であり、日時情報は、その筆記がなされた日時を示す情報である。
【００４７】
図には、ペンＩＤ「Ｐ００１」のデジタルペン６０を用いて、「ＩＤ０００１」の媒体、「ＩＤ０００２」の媒体、「ＩＤ０００３」の媒体に順に筆記し、「ＩＤ０００１」の媒体に再度筆記したことが示されている。また、ペンＩＤ「Ｐ００２」のデジタルペン６０を用いて、「ＩＤ００１１」の媒体、「ＩＤ００１２」の媒体、「ＩＤ００１３」の媒体に順に筆記したことも示されている。更に、ペンＩＤ「Ｐ００３」のデジタルペン６０を用いて、「ＩＤ００２１」の媒体、「ＩＤ００２２」の媒体に順に筆記し、「ＩＤ００２１」の媒体に再度筆記したことも示されている。
尚、図に示した筆跡管理情報では、複数のデジタルペン６０による筆跡情報を時間順に管理しているが、ペンＩＤでソートすることによりデジタルペン６０ごとにグループ化して筆跡情報を管理するようにしてもよい。或いは、ペンＩＤが異なるものに対しては別々の記憶領域を与えることにより、デジタルペン６０ごとに別々に筆跡情報を管理するようにしてもよい。例えば、ペンＩＤ「Ｐ００１」のデジタルペン６０が指定された場合は、太線で囲んだ筆跡管理情報を用いて表示情報が生成されるが、その筆跡管理情報のみを予め取り出しておき、他のデジタルペン６０とは別に管理しておく方法である。
【００４８】
Ｃ．筆跡情報の表示
本実施の形態では、上記の筆跡管理情報に基づいて、例えば同じペンＩＤに対応するデジタルペン６０でなされた筆跡情報を表示する。
その場合、ユーザ(筆記者)は、まず、端末装置５０に対し、ペンＩＤを入力して、そのペンＩＤに対応するデジタルペン６０でなされた筆記内容を電子化した筆跡情報の表示を指示する。
すると、端末装置５０は、入力されたペンＩＤを識別情報サーバ３０に送信する。
【００４９】
或いは、ユーザは、端末装置５０に対し、ユーザの識別情報(ユーザＩＤ)を入力するようにしてもよい。その場合、デジタルペン６０本体や外部に設けられた個人認証装置を用いて、そのユーザが使用する１つ又は複数のデジタルペン６０のペンＩＤを取得する。これによって、複数のデジタルペン６０による筆跡情報がまとめて表示されるようになる。尚、ここでいう個人認証装置は、各筆記者が使用する電子筆記具を定義した情報を保持する装置の一例である。
【００５０】
図１１は、その後の識別情報サーバ３０及び文書サーバ２０の動作を示したシーケンス図である。
識別情報サーバ３０では、まず、受信部３１が、端末装置５０からペンＩＤを受信する(ステップ３３１)。次に、ペンＩＤは表示情報生成部３４及び識別情報管理部３２に渡され、識別情報管理部３２が、ステップ３２２(図９参照)でキャッシュしたペンＩＤと文書サーバ２０のアドレス情報との対応に基づいて、ペンＩＤに対応する筆跡管理情報を保持する文書サーバ２０を決定する(ステップ３３２)。そして、ペンＩＤは送信部３９に渡され、送信部３９がペンＩＤを文書サーバ２０に送信することにより、筆跡情報を表示するための表示情報の生成に必要な情報の送信を要求する(ステップ３３３)。
【００５１】
これにより、文書サーバ２０では、受信部２１が、ペンＩＤを受信する(ステップ２３１)。そして、ペンＩＤは筆跡情報管理部２３に受け渡され、筆跡情報管理部２３が、筆跡管理情報記憶部２４に記憶された筆跡管理情報を参照し、渡されたペンＩＤに対応する識別情報、筆跡情報、日時情報を取り出す(ステップ２３２)。その後、取り出された情報は送信部２９に受け渡され、送信部２９がこれらの情報を識別情報サーバ３０に送信する(ステップ２３３)。
【００５２】
これにより、識別情報サーバ３０では、受信部３１が、識別情報、筆跡情報、日時情報を受信する(ステップ３３４)。そして、識別情報が識別情報管理部３２に渡され、筆跡情報及び日時情報は表示情報生成部３４に渡される。
尚、ステップ３３２で決定した文書サーバ２０が複数存在する場合は、複数の文書サーバ２０との間でステップ３３３、２３１〜２３３、３３４の処理を行い、識別情報、筆跡情報、日時情報の対応を取得することになる。
このようにして、指定されたデジタルペン６０に対応付けられた情報が全て収集されると、識別情報管理部３２は、識別情報に文書ＩＤが関連付けられているかどうかを判定する(ステップ３３５)。
【００５３】
ここで、識別情報に文書ＩＤが関連付けられていると判定されると、識別情報管理部３２から表示情報生成部３４へ文書ＩＤが渡され、表示情報生成部３４が、文書ＩＤ付きの表示情報を生成する(ステップ３３６)。具体的には、先に渡されたペンＩＤと、今回渡された文書ＩＤ、筆跡情報、日時情報とに基づいて、表示情報を生成する。その際、筆跡情報に対して、文書ＩＤをリンクとして埋め込む。ここで、文書ＩＤがＵＲＬであれば、文書ＩＤをそのまま埋め込めばよい。これに対し、文書ＩＤが一連番号で、その一連番号とＵＲＬとが別途関連付けられているような場合は、文書ＩＤに関連付けられたＵＲＬを埋め込む方法と、一連番号である文書ＩＤをそのまま埋め込む方法とが考えられる。
一方、識別情報に文書ＩＤが関連付けられていないと判定されると、識別情報管理部３２から表示情報生成部３４へ文書ＩＤは渡されない。従って、表示情報生成部３４は、文書ＩＤ無しの表示情報を生成する(ステップ３３７)。具体的には、先に渡されたペンＩＤと、今回渡された筆跡情報及び日時情報とに基づいて、表示情報が生成されるが、その際、文書ＩＤがリンクとして埋め込まれることはない。
【００５４】
その後、識別情報管理部３２は、他に識別情報があるかどうかを判定する(ステップ３３８)。デジタルペン６０を用いて複数の媒体に筆記を行った場合は、１つの文書サーバ２０から複数の識別情報を取得したり、複数の文書サーバ２０から互いに異なる識別情報を取得したりすることが考えられるからである。
その結果、他に識別情報があれば、その識別情報に文書ＩＤが関連付けられているかどうかを判定し、その判定結果に基づいて表示情報を生成する。
また、他に識別情報がなければ、そこまでに生成された表示情報が送信部２９に渡され、送信部２９が、表示情報を端末装置５０に送信する(ステップ３３９)。
【００５５】
ここで、筆跡情報の表示イメージを示す。尚、以下で述べる表示イメージは、複数の筆跡情報を一覧可能な形式で表示するイメージの一例である。
図１２は、複数の媒体に様々な手書き情報を記述した場合に、１つのデジタルペン６０で記述した内容を時系列にタイムテーブル形式で表示した例である。
この例は、図１０に示した筆跡管理情報が文書サーバ２０に保持されており、「ＩＤ０００１」の媒体に文書ＩＤ「Ｄ０００１」の電子文書が、「ＩＤ０００２」の媒体に文書ＩＤ「Ｄ０００２」の電子文書が、「ＩＤ０００３」の媒体に文書ＩＤ「Ｄ０００３」の電子文書がそれぞれ印刷されている場合の表示例である。
この表示例において、「手書き情報」欄に表示された筆跡情報のイメージデータ(サムネイル)には、ステップ３３６で文書ＩＤが埋め込まれている。従って、筆跡情報をクリックすると、その筆跡情報の元となる筆記がなされた媒体に印刷された電子文書が呼び出される。
尚、この一覧表示を、例えばスケジューラの会議予定等と組み合わせることにより、ある会議で記述した内容を媒体に関わらず把握する構成を採用してもよい。
【００５６】
また、時系列に並べるのではなく、１つのデジタルペン６０で一定の期間内に手書きされた内容を、別の文書の形式で集約表示するようにしてもよい。
図１３は、その場合の表示例を示したものである。
ここで表示されるイメージデータは図１２に示したものと同様であるが、イメージデータ以外の情報は表示せず、イメージデータのみを、ユーザが指定したサイズとページ数の中に収まるようにレイアウト(配置)している。ここで、本実施の形態では、筆記情報を配置する所定の範囲の一例として、サイズとページ数を用いている。尚、このような文書のページに対する筆跡情報の配置は、例えば、富士ゼロックス社の「ＤｏｃｕＷｏｒｋｓ」における「アノテーション」の機能を用いて行うようにするとよい。
この表示例においても、「手書き情報」欄に表示された筆跡情報のイメージデータ(サムネイル)には、ステップ３３６で文書ＩＤが埋め込まれている。従って、筆跡情報をクリックすると、その筆跡情報の元となる筆記がなされた媒体に印刷された電子文書が呼び出される。
尚、ここでは一定期間に筆記された内容を抽出したが、そのような期間は、ユーザがペンＩＤを指定する際に同時に指定するようにするとよい。また、一定期間を指定せずに、指定したペンＩＤで特定されるデジタルペン６０による筆記内容の全履歴を抽出する構成を採用してもよい。
【００５７】
また、上記表示イメージは、複数の筆跡情報を一覧可能な形式で表示するものであったが、一覧可能な形式でなくてもよい。例えば、デジタルペン６０のディスプレイに筆跡情報を表示するような場合には、一覧可能な形式で表示することは一般に困難なので、筆跡情報を１つずつ表示し、所定の操作で時間順に切り替えるようにしてもよい。
【００５８】
ところで、本実施の形態では、文書サーバ２０が筆跡情報を管理する筆跡管理情報を保持し、識別情報サーバ３０がこの筆跡管理情報に基づいて筆跡情報の表示のための表示情報を生成するようにした。しかしながら、これらの処理を如何なる装置で行うかについては種々のバリエーションが考えられる。例えば、筆跡情報の表示のための表示情報を生成する処理は、文書サーバ２０で行ってもよいし、端末装置５０で行ってもよいし、デジタルペン６０で行ってもよいし、通信装置７０で行ってもよい。端末装置５０で表示情報を生成する構成を採用した場合は、筆跡管理情報を端末装置５０で保持するようにしてもよい。また、デジタルペン６０で表示情報を生成する構成を採用した場合は、筆跡管理情報を端末装置５０やデジタルペン６０で保持するようにしてもよい。
そこで、これらの処理をコンピュータ９０で行うものとして、コンピュータ９０のハードウェア構成について説明する。
【００５９】
図１４は、コンピュータ９０のハードウェア構成を示した図である。
図示するように、コンピュータ９０は、演算手段であるＣＰＵ(Central Processing Unit)９１と、記憶手段であるメインメモリ９２及び磁気ディスク装置(ＨＤＤ：Hard Disk Drive)９３とを備える。ここで、ＣＰＵ９１は、ＯＳ(Operating System)やアプリケーション等の各種ソフトウェアを実行し、上述した各機能を実現する。また、メインメモリ９２は、各種ソフトウェアやその実行に用いるデータ等を記憶する記憶領域であり、磁気ディスク装置９３は、各種ソフトウェアに対する入力データや各種ソフトウェアからの出力データ等を記憶する記憶領域である。
更に、コンピュータ９０は、外部との通信を行うための通信Ｉ/Ｆ９４と、ビデオメモリやディスプレイ等からなる表示機構９５と、キーボードやマウス等の入力デバイス９６とを備える。
【００６０】
尚、本実施の形態を実現するプログラムは、通信手段により提供することはもちろん、ＣＤ−ＲＯＭ等の記録媒体に格納して提供することも可能である。
【図面の簡単な説明】
【００６１】
【図１】本発明の実施の形態が適用されるシステム構成を示した図である。
【図２】本発明の実施の形態における筆跡情報の表示動作の概要を示した図である。
【図３】本発明の実施の形態における文書サーバの機能構成を示したブロック図である。
【図４】本発明の実施の形態における識別情報サーバの機能構成を示したブロック図である。
【図５】本発明の実施の形態における印刷文書出力時の動作を示したシーケンス図である。
【図６】本発明の実施の形態で生成される符号画像の例を示した図である。
【図７】本発明の実施の形態におけるデジタルペンの機構を示した図である。
【図８】本発明の実施の形態におけるデジタルペンの制御回路の機能機構を示したブロック図である。
【図９】本発明の実施の形態における印刷文書への筆記時の動作を示したシーケンス図である。
【図１０】本発明の実施の形態で記憶される筆跡管理情報の例を示した図である。
【図１１】本発明の実施の形態における筆跡情報の表示時の動作を示したシーケンス図である。
【図１２】本発明の実施の形態による筆跡情報の表示例を示した図である。
【図１３】本発明の実施の形態による筆跡情報の表示例を示した図である。
【図１４】本発明の実施の形態を実現可能なコンピュータのハードウェア構成図である。
【符号の説明】
【００６２】
１０，５０…端末装置、２０…文書サーバ、３０…識別情報サーバ、４０…画像形成装置、６０…デジタルペン、８０…ネットワーク
【図１】
2008181339.tif 000003
【図２】
2008181339.tif 000004
【図３】
2008181339.tif 000005
【図４】
2008181339.tif 000006
【図５】
2008181339.tif 000007
【図６】
2008181339.tif 000008
【図７】
2008181339.tif 000009
【図８】
2008181339.tif 000010
【図９】
2008181339.tif 000011
【図１０】
2008181339.tif 000012
【図１１】
2008181339.tif 000013
【図１２】
2008181339.tif 000014
【図１３】
2008181339.tif 000015
【図１４】
2008181339.tif 000016